(57)【要約】【課題】収納としても使用できるログハウス用出窓を提供する【解決手段】本発明に係るログハウス用出窓５０は、通常の出窓として使用可能な他、収納として使用することもできる。よって、ログハウス用出窓５０の使用形態を適宜切替えることにより、ログハウス１００の室内スペースを有効に活用することができる。また、ログハウス用出窓５０に布団等の寝具１を吊下げることが可能な物掛バー４２を設けることにより、ログハウス１００の室内スペースをさらに有効に活用することができる。【選択図】図１
2013227782.tif 000002
【特許請求の範囲】
【請求項１】
所定の寸法に加工された木材を積み上げて作製するログハウスのログハウス用出窓であって、
室内側に出窓部を閉塞する扉部を設けたことを特徴とするログハウス用出窓。
【請求項２】
出窓部の上部に、布団を吊下げることが可能な物掛バーを備えたことを特徴とする請求項１記載のログハウス用出窓。
【発明の詳細な説明】
【技術分野】
【０００１】
本発明は、所定の寸法に加工された木材を積み上げて作製するログハウスのログハウス用出窓に関するものである。
【背景技術】
【０００２】
ログハウスとは所定の寸法に加工された木材を積み上げて作製する家等の建築物であり、リゾート等の商業施設や自然志向の高い一般ユーザの別荘や住宅として建築されている。しかしながら、従来の大型のログハウスの建築には費用と労力を要し、一般ユーザが気軽に製作することはできなかった。この問題点に対し、例えば下記［特許文献１］には、ユーザが独力で作製可能な小型のログハウスの組み立てキットに関する発明が開示されている。このような、ログハウスの組み立てキットはログハウスの作製に必要な全てのパーツが既に加工済みであり、ユーザはこれら加工済みパーツを添付の設計図通りに組み立てることで独力でログハウスを組み立てることができる。
【先行技術文献】
【特許文献】
【０００３】
【特許文献１】特開２００８−２３１８８７号公報
【発明の概要】
【発明が解決しようとする課題】
【０００４】
しかしながら、ユーザからはこのようなキット売りのログハウスに対し、室内スペースを有効活用するための出窓や収納が欲しいといった要望が寄せられており、更なる改善が望まれる。
【０００５】
本発明は上記事情に鑑みてなされたものであり、収納としても使用できるログハウス用出窓を提供することを目的とする。
【課題を解決するための手段】
【０００６】
本発明は、
（１）所定の寸法に加工された木材を積み上げて作製するログハウス１００のログハウス用出窓５０であって、室内側に出窓部２０を閉塞する扉部３０を設けたことを特徴とするログハウス用出窓５０を提供することにより、上記課題を解決する。
（２）出窓部２０の上部に、布団を吊下げることが可能な物掛バー４２を備えたことを特徴とする上記（１）記載のログハウス用出窓５０を提供することにより、上記課題を解決する。
【発明の効果】
【０００７】
本発明によれば、ログハウスに収納としても使用できる出窓を設けることで、ログハウスの室内スペースを有効活用することができる。
【図面の簡単な説明】
【０００８】
【図１】本発明に係るログハウス用出窓を備えたログハウスを示す図である。
【図２】本発明に係るログハウス用出窓を示す図である。
【図３】本発明に係るログハウス用出窓を示す模式断面図である。
【発明を実施するための形態】
【０００９】
本発明に係るログハウス用出窓について図面に基づいて説明する。ここで、図１（ａ）は本発明に係るログハウス用出窓５０を備えたログハウス１００の側面図である。また、図１（ｂ）は本発明に係るログハウス用出窓５０を備えたログハウス１００の正面図である。尚、本発明に係るログハウス用出窓５０は、作製に必要な全ての加工済みパーツが一括してキット販売され、ユーザがこれら加工済みパーツを組み立てて独自に作製する比較的小型のログハウス１００に好適なものである。ただし、特にこれに限定される訳ではなく、大型のログハウスに適用しても良い。
【００１０】
ログハウス１００は所定の寸法に加工された木材を積み上げて作製されるものであり、四方を囲う壁部１０と、床部１１と、正面の壁部１０に設置された開閉可能な玄関扉１４と、屋根部１６と、を有している。そして、ログハウス１００を構成する壁部１０の少なくとも１つに、本発明に係るログハウス用出窓５０が設置されている。尚、図１に示すログハウス１００では、正面に玄関デッキ９を備えた例を示している。また、図１においては、ログハウス用出窓５０をログハウス１００の右側面に設置した例を示している。尚、ログハウス用出窓５０はログハウス１００のいずれの方向の壁部１０に設置しても良い。また、ログハウス１００に複数のログハウス用出窓５０を設置しても良い。
【００１１】
次に、本発明に係るログハウス用出窓５０を図２、図３を用いて説明する。ここで、図２（ａ）はログハウス用出窓５０の正面図である。また、図２（ｂ）はログハウス用出窓５０の側面図である。また、図２（ｃ）、（ｄ）はログハウス用出窓５０をログハウス１００の室内側から見た図であり、図２（ｃ）は扉部３０を閉じた状態を、また図２（ｄ）は扉部３０を開いた状態をそれぞれ示している。さらに、図３（ａ）はログハウス用出窓５０の側面方向の模式断面図である。また、図３（ｂ）はログハウス用出窓５０の平面方向の模式断面図である。
【００１２】
本発明に係るログハウス用出窓５０は出窓部２０と扉部３０とで主に構成されており、出窓部２０は、床部２２と、側壁部２４と、屋根部２６と、正面壁部２８と、当該正面壁部２８に設置された窓部２９と、を有している。また、ログハウス用出窓５０は、出窓部２０を支える支持脚４０を有している。尚、出窓部２０の寸法に特に限定はないが、後述のように布団等の寝具１を二つ折りにして縦に２枚収納可能な寸法以上とすることが好ましい。また、ログハウス用出窓５０の窓部２９は開閉可能としても良いが、収納として使用する際の防湿性の観点から開閉できないＦＩＸ窓（嵌め殺し窓）とすることが好ましい。
【００１３】
ログハウス用出窓５０の扉部３０はログハウス１００の室内側に設けられ、出窓部２０を閉塞するものである。尚、本例では図２（ｃ）、（ｄ）に示すように扉部３０を左右に各１枚設け、観音開きとした例を用いている。ただし、扉部３０の形態はこの例に限定されるわけではなく、片開きとしても良いし、引き戸としても良い。さらに、シャッター等を用いても良い。
【００１４】
尚、ログハウス用出窓５０も基本的に加工済みパーツを一括してキット販売し、ユーザが組立てとログハウス１００への設置とをユーザ自身で行う。この際、ログハウス用出窓５０のキットをログハウス１００のキットとともに販売し、ユーザがログハウス用出窓５０付のログハウス１００を作製するようにしても良いし、ログハウス用出窓５０のキットを別に販売し完成したログハウス１００に設置するようにしても良い。完成したログハウス１００にログハウス用出窓５０を設置する一般的な方法は、ログハウス１００の壁部１０を切り抜いて所定の寸法の開口部を設け、この開口部にログハウス用出窓５０を固定するものである。尚、ログハウス１００の壁部１０に予め印刷や切り込み等のマークを施しておけば、ログハウス１００の購入者がログハウス用出窓５０を後付する際に容易に開口部の切り抜きを行うことができる。また、ログハウス用出窓５０と互換性のある寸法の窓を備えたログハウス１００をキット販売し、ユーザがこの窓を付替える形でログハウス用出窓５０を設置可能とするようにしても良い。この構成によれば、ユーザは壁部１０の切り抜き作業を行うことなしにログハウス用出窓５０の設置を行うことができる。
【００１５】
また、出窓部２０の上部には、図３に示すように物掛バー４２を設けても良い。尚、図３においては物掛バー４２を左右の側壁部２４に固定する形で設置した例を示しているが、物掛バー４２の設置方法は特にこれに限定されるものではない。また、物掛バー４２の寸法、本数にも特に限定はない。ただし、図３の破線に示すように、布団等の寝具１を二つ折りにして縦に２枚吊下げることが可能なように寝具１の幅寸法よりも長い物掛バー４２を２本設置することが好ましい。この構成によれば、ログハウス用出窓５０に寝具１を２枚収納可能となるので、寝具１の収納スペースをログハウス１００の室内に別に設ける必要がなく、ログハウス１００の室内スペースを有効に活用することができる。無論、物掛バー４２は寝具１以外にハンガーやその他の物品を吊下げて使用することもできる。
【００１６】
そして、上記のログハウス用出窓５０を出窓として使用する場合には、扉部３０を開け窓部２９から外光を取り入れたり、外の景色を眺めたりする用途に用いる。また、ログハウス用出窓５０の床部２２にインテリアや観葉植物等を置き、ディスプレイの用途としても用いることができる。さらに、床部２２を机や作業台として用いることもできる。
【００１７】
また、ログハウス用出窓５０を収納として使用する場合には、出窓部２０内に物品を収納し必要に応じて扉部３０で出窓部２０を閉塞する。これにより、物品の収納をログハウス１００の室内に別に設ける必要がなく、ログハウス１００の室内スペースを有効に活用することができる。また、収納された物品を室内から隠すことができる。さらに、出窓部２０を扉部３０で閉塞した場合、壁部１０と扉部３０とがほぼ平らとなってログハウス１００の内壁の一面を形成する。よって、室内側からは大きな凹凸は確認出来ず、自然な室内空間を得ることができる。
【００１８】
以上のように、本発明に係るログハウス用出窓５０は、通常の出窓として使用可能な他、収納として使用することもできる。よって、ログハウス用出窓５０の使用形態を適宜切替えることにより、ログハウス１００の室内スペースを有効に活用することができる。また、ログハウス用出窓５０に布団等の寝具１を吊下げることが可能な物掛バー４２を設けることにより、ログハウス１００の室内スペースをさらに有効に活用することができる。
【００１９】
尚、上記のログハウス用出窓５０は一例であるから、各部の形状、寸法、外観等は本発明の要旨を逸脱しない範囲で変更して実施することが可能である。
【符号の説明】
【００２０】
２０    出窓部
３０    扉部
４２    物掛バー
５０    ログハウス用出窓
１００  ログハウス
【図１】
2013227782.tif 000003
【図２】
2013227782.tif 000004
【図３】
2013227782.tif 000005